(57)【特許請求の範囲】
【請求項１】
表示画像及び該表示画像に対する操作に用いる操作用画像を表示する表示部を備える表示装置において、
前記表示画像を縮小して表示する第１画像処理手段と、
縮小後の表示画像内に、前記操作用画像を変換して表示する第２画像処理手段と
を備え、
前記操作用画像には対応する操作を表す文字が含まれており、
前記第２画像処理手段は、該文字を削除し、前記操作を表す絵図を表示するように構成してあることを特徴とする表示装置。
【請求項２】
前記操作用画像は複数であり、
前記表示部の表示画面に設けられ、変換後の操作用画像の何れかの選択を受け付けるタッチパネルと、
該タッチパネルが受け付けた選択に係る変換後の操作用画像に係る付加情報画像を表示する情報表示手段と
を備えることを特徴とする請求項１に記載の表示装置。
【請求項３】
前記タッチパネルは、
前記付加情報画像を介して、該付加情報画像に対応する操作用画像に係る操作の指示を受け付けるように構成してあることを特徴とする請求項２に記載の表示装置。
【請求項４】
請求項１から３の何れかに記載の表示装置と、
該表示装置の表示部に表示される表示画像に基づき、シート上に画像形成を行う画像形成手段と
を備えることを特徴とする画像形成装置。
【請求項５】
表示画像と、該表示画像に対する操作を表す文字を含み、該操作に用いる操作用画像とを表示する画像表示方法において、
前記表示画像を縮小して表示するステップと、
前記文字を削除して前記操作を表す絵図を表示し、縮小後の表示画像内に、前記操作用画像を変換して表示するステップと
を含むことを特徴とする画像表示方法。
【請求項６】
コンピュータに、表示画像と、該表示画像に対する操作を表す文字を含み、該操作に用いる操作用画像とを表示させるコンピュータプログラムにおいて、
コンピュータに、前記表示画像を縮小して表示させるステップと、
コンピュータに、前記文字を削除して前記操作を表す絵図を表示し、縮小後の表示画像内に、前記操作用画像を変換して表示させるステップと
を実行させることを特徴とするコンピュータプログラム。
【請求項７】
請求項６に記載のコンピュータプログラムを記録してあることを特徴とするコンピュータでの読み取りが可能な記録媒体。
【発明の詳細な説明】
【技術分野】
【０００１】
本願は、表示画像及び該表示画像に対する操作に用いる操作用画像を表示する表示装置、画像形成装置、画像表示方法及びコンピュータプログラム、並びに該コンピュータプログラムが記録された記録媒体に関する。
【背景技術】
【０００２】
複写機、プリンタ、デジタル複合機等の画像を処理することが可能な装置が、会社内、学校内、コンビニエンスストア内等の様々な場所に設置されている。この様な装置では、例えば、出力の対象となる写真等の画像を、タッチパネルを備える表示部の表示画面に表示し、表示内容を視認した利用者の操作に基づいて、画像の加工、複写、印刷等の処理を実行する。
【０００３】
しかしながら、例えば、コンビニエンスストア等の不特定多数の人物が出入りする環境下に設置されたデジタル複合機においては、利用者が出力を所望する画像を表示部の表示画面に表示させた場合、秘匿すべき内容を他人が容易に視認することができるという問題がある。
【０００４】
このような状況を改善する方法として、タッチパネルを備える表示部の表示画面に表示された画像を他人から視認され難くすべく、利用者が画像のサイズを変更して表示させるという方法が考えられる。具体的には、該表示部の表示画面に表示された画像を、縮小させたり、縮小させた画像を移動させたりという方法である。このような方法は、例えば特許文献１に開示されている。
【先行技術文献】
【特許文献】
【０００５】
【特許文献１】特開平８−３１７３２４号公報
【発明の概要】
【発明が解決しようとする課題】
【０００６】
しかしながら、特許文献１に記載された装置では、表示画面に表示された画像を縮小して表示した場合において、縮小表示した画像に対する各種操作（例えば、縮小、拡大、回転、移動等）に用いる操作用画像の位置については全く考慮されていない。例えば、当該表示画像の縮小表示後においても、操作用画像は依然として元の位置（表示画面の右上）に固定された状態で表示されるため、縮小表示した表示画像と操作用画像とが離れてしまうことから、該表示画面の操作がし難くなるという問題がある。
【０００７】
また、縮小表示した表示画像を移動した場合においても、操作用画像は元の位置に固定されているので、移動前後で、表示画像に対する操作用画像の相対的な位置が異なり、利用者による操作用画像の選択の際、混乱を招く虞もある。
【０００８】
本発明は、斯かる事情に鑑みてなされたものであり、その目的とするところは、表示画像を縮小して表示する際、縮小後の表示画像内に、操作用画像を縮小等変換して表示することにより、表示画像に対する操作性を向上させることができる表示装置、画像形成装置、画像表示方法及びコンピュータプログラム、並びに該コンピュータプログラムが記録された記録媒体を提供することにある。
【課題を解決するための手段】
【０００９】
本発明に係る表示装置は、表示画像及び該表示画像に対する操作に用いる操作用画像を表示する表示部を備える表示装置において、前記表示画像を縮小して表示する第１画像処理手段と、縮小後の表示画像内に、前記操作用画像を変換して表示する第２画像処理手段とを備え、前記操作用画像には対応する操作を表す文字が含まれており、前記第２画像処理手段は、該文字を削除し、前記操作を表す絵図を表示するように構成してあることを特徴とする。
【００１０】
本発明にあっては 前記第１画像処理手段が前記表示画像を縮小して表示し、この際、前記第２画像処理手段は、縮小後の表示画像内に、前記操作用画像を変換して、例えば、縮小して表示する。また、前記操作用画像には対応する操作を表す文字が含まれており、前記第２画像処理手段は、前記操作用画像を変換して表示する際、該文字を削除し、代わりに、前記操作を表す絵図を表示する。
【００１３】
本発明に係る表示装置は、前記操作用画像は複数であり、前記表示部の表示画面に設けられ、変換後の操作用画像の何れかの選択を受け付けるタッチパネルと、該タッチパネルが受け付けた選択に係る変換後の操作用画像に係る付加情報画像を表示する情報表示手段とを備えることを特徴とする。
【００１４】
本発明にあっては、前記複数の操作用画像が前記第２画像処理手段によって変換して表示された場合、前記タッチパネルが変換後の複数の操作用画像の何れかの選択を受け付け、前記情報表示手段は、該タッチパネルが受け付けた選択に係る変換後の操作用画像に係る付加情報画像を表示する。
【００１５】
本発明に係る表示装置は、前記タッチパネルは、前記付加情報画像を介して、該付加情報画像に対応する操作用画像に係る操作の指示を受け付けるように構成してあることを特徴とする。
【００１６】
本発明にあっては、前記情報表示手段が前記付加情報画像を表示した場合において、例えば、利用者が該付加情報画像をタッチしたときは、前記タッチパネルは、該付加情報画像に対応する操作用画像に係る操作の指示として受け付ける。
【００１７】
本発明に係る画像形成装置は、前述の発明の何れか一つに記載の表示装置と、該表示装置の表示部に表示される表示画像に基づき、シート上に画像形成を行う画像形成手段とを備えることを特徴とする。
【００１８】
本発明にあっては、前記表示装置の表示部に表示される表示画像に基づき、シート上に該表示画像が画像形成される。
【００１９】
本発明に係る画像表示方法は、表示画像と、該表示画像に対する操作を表す文字を含み、該操作に用いる操作用画像とを表示する画像表示方法において、前記表示画像を縮小して表示するステップと、前記文字を削除して前記操作を表す絵図を表示し、縮小後の表示画像内に、前記操作用画像を変換して表示するステップとを含むことを特徴とする。
【００２０】
本発明に係るコンピュータプログラムは、コンピュータに、表示画像と、該表示画像に対する操作を表す文字を含み、該操作に用いる操作用画像とを表示させるコンピュータプログラムにおいて、コンピュータに、前記表示画像を縮小して表示させるステップと、コンピュータに、前記文字を削除して前記操作を表す絵図を表示し、縮小後の表示画像内に、前記操作用画像を変換して表示させるステップとを実行させることを特徴とする。
【００２１】
本発明にあっては、前記表示画像が縮小して表示される場合、前記操作用画像が変換されて、例えば、縮小されて、縮小後の表示画像内に表示される。また、前記操作用画像には対応する操作を表す文字が含まれており、前記操作用画像が変換されて表示される際、該文字が削除され、代わりに、前記操作を表す絵図が表示される。
【００２２】
本発明に係る記録媒体は、前述の発明のコンピュータプログラムを記録してあることを特徴とする。
【００２３】
本発明にあっては、前記記録媒体に前述のコンピュータプログラムを記録する。コンピュータが前記記録媒体からコンピュータプログラムを読み出して、前述の表示装置、画像形成装置、及び画像表示方法がコンピュータにより実現される。
【発明の効果】
【００２４】
本発明によれば、例えば、前記表示画像に対して縮小又は移動のような操作が行われた場合において、該操作後における表示画像に対する操作性を向上させることができる。
【図面の簡単な説明】
【００２５】
【図１】本発明の実施の形態に係るデジタル複合機の要部構成を示す機能ブロック図である。
【図２】本発明の実施の形態に係るデジタル複合機における、制御部の要部構成を示す機能ブロック図である。
【図３】本発明の実施の形態のデジタル複合機における、表示部の表示画面に表示された表示画像を示す説明図である。
【図４】本発明の実施の形態のデジタル複合機における、表示部の表示画面に対する操作を説明する説明図である。
【図５】本発明の実施の形態のデジタル複合機における、付加情報の表示を説明する説明図である。
【図６】本発明の実施の形態のデジタル複合機における、表示処理の例を示すフローチャートである。
【図７】本発明の実施の形態のデジタル複合機の要部構成を示す機能ブロック図である。
【発明を実施するための形態】
【００２６】
以下、本発明に係る表示装置、画像形成装置、画像表示方法及びコンピュータプログラムを複写機、プリンタ、スキャナ等の機能を有するデジタル複合機に適用した場合を例として、図面に基づいて詳述する。
【００２７】
（実施の形態１）
図１は本発明の実施の形態１に係るデジタル複合機１００の要部構成を示す機能ブロック図である。デジタル複合機１００は、カラーコピー機能及びカラースキャナ機能等を有するデジタル複合機である。デジタル複合機１００は、原稿から画像を光学的に読み取る画像入力部６を備えており、画像入力部６には、読み取った画像に応じた画像データを生成する画像処理部４が接続されている。画像処理部４には、画像処理部４が生成した出力用画像データに基づいて画像を出力する画像出力部５、及び画像処理部４が生成した画像データを外部へ送信し、また外部から画像データを受信する通信部８が接続されている。画像入力部６、画像処理部４、画像出力部５及び通信部８には、使用者からの操作を受け付ける操作パネル７が接続されている。
【００２８】
更に、デジタル複合機１００は、表示部２と、該表示部２の表示画面を覆うように設けられたタッチパネル３と、該表示部２に表示すべき表示画像に係るデータ（表示画像データ）を記憶する記憶部１０と、外部の機器から画像データを受け付けるＵＳＢポート等のＩ／Ｆ９とを備えている。これらのハードウェアはバスＮを介して制御部１と接続されている。図１中、点線によって囲まれた範囲は、本発明に係る表示装置を示す。
【００２９】
表示部２は、例えば、ＬＣＤ又はＥＬ（Electroluminescence）パネル等からなり、表示画面、該表示画面の操作（例えば、縮小、拡大、回転、移動等）に用いられる操作用画像、該操作後における表示画像等が表示される。
【００３０】
画像入力部６は、ＣＣＤ（Charge Coupled Device ）等の光センサを備えたカラースキャナを用いて構成されており、紙等の記録シートに画像が記録された原稿からの反射光像をＲＧＢ（Ｒ：赤，Ｇ：緑，Ｂ：青）の各色に分解して光センサで読み取り、ＲＧＢのアナログ信号に変換して画像処理部４へ出力する。
【００３１】
画像処理部４は、画像入力部６から入力されたＲＧＢのアナログ信号に対して画像処理を行うことにより、ＲＧＢのデジタル信号からなる画像データを生成する。また画像処理部４は、該ＲＧＢ信号に対して更に画像処理を実行することにより、ＣＭＹＫ（Ｃ：シアン，Ｍ：マゼンタ，Ｙ：イエロー，Ｋ：ブラック）のデジタル信号からなる画像データを生成し、ストリームとして画像出力部５へ出力する。
【００３２】
画像出力部５は、画像処理部４から入力された画像データに基づいて、熱転写、電子写真、又はインクジェット等の方式により紙等の記録シート上に画像を形成することによって画像を出力する。
【００３３】
操作パネル７は、デジタル複合機１００の動作モードを設定するための設定指示等、デジタル複合機１００の動作を制御するための指示を利用者から受け付ける。
【００３４】
タッチパネル３は、表示部２の表示画面を覆うように設けられている。タッチパネル３は利用者のタッチ操作により表示部２の表示画面上における位置指定を受け付ける。タッチパネル３は、利用者の指先のタッチ操作による圧力の変化を検知し、又は静電気による電気信号を検知して、利用者の指先の接触点の表示部２の表示画面上の座標を検出し、該座標を特定する信号を発生する。タッチパネル３が受け付けた位置指定に係る座標を特定する信号は制御部１に送出される。制御部１は受信した座標に基づき、操作指示を発する。
【００３５】
すなわち、制御部１は、タッチパネル３から前記信号（座標）を取得して、例えば、表示部２に表示されている操作用画像の内、該座標に対応する位置の操作用画像が操作されたものと認識し、該操作用画像に係る操作を指示する。従って、タッチパネル３を介して利用者からの指示を受け付けることが出来る。
【００３６】
記憶部１０は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部１０には、画像入力部６又は通信部８を介して取得した表示画像データが記憶されている。
【００３７】
通信部８は、ネットワークカード又はモデム等を用いて構成されており、図示しない公衆回線網、ＬＡＮ（Local Area Network）又はインターネット等の通信ネットワークに接続可能であり、ファクシミリ又は電子メール等の通信方法により通信ネットワークを介して外部とデータを送受信する。
【００３８】
制御部１はデジタル複合機１００で実行される各種の処理において、上述した各ハードウェアを制御する。図２は本発明の実施の形態１に係るデジタル複合機１００における、制御部１の要部構成を示す機能ブロック図である。
【００３９】
制御部１は、ＣＰＵ１１と、ＲＯＭ１２及びＲＡＭ１３を備えている。
【００４０】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００４１】
また、ＲＯＭ１２には、表示画像に係る操作に用いる操作用画像に係るデータ（操作用画像データ）が、該操作用画像に対応する操作と、表示部２の表示画面上の座標とに対応付けて記憶されている。表示画像に係る操作とは、表示画像に対する拡大、縮小、移動、又は他の表示画像を表示させる操作等の操作である。斯かる操作用画像には、該操作用画像に対応する操作を表す文字が表示されている。
【００４２】
更に、ＲＯＭ１２には、夫々の操作用画像毎の変換操作用画像に係るデータが、当該操作用画像に対応付けた記憶されている。該変換操作用画像は、表示画像に対して縮小、移動等の操作が施された場合に、当該操作用画像に代わって表示されるものであり、対応する操作用画像より、小さく、該変換操作用画像に対応する操作を表す絵図が含まれている。
【００４３】
ＣＰＵ１１は、ＲＯＭ１２に予め格納されている制御プログラムをＲＡＭ１３上にロードして実行することによって、装置全体を本発明のデジタル複合機１００として動作させる。
【００４４】
更に、制御部１は、画像加工部１４と、情報表示部１７と、表示処理部１８とを備えており、画像加工部１４は第１画像処理部１５及び第２画像処理部１６を有している。
【００４５】
画像加工部１４は記憶部１０に記憶されている表示画像データに基づき、利用者からの操作指示に応じて表示画像を加工し、加工した表示画像に係る表示用データを表示処理部１８へ渡す。また、画像加工部１４は、ＲＯＭ１２に記憶されている操作用画像データに基づき、操作用画像を変換し、変換された操作用画像に係る表示用データを表示処理部１８へ渡す。
【００４６】
第１画像処理部１５は、記憶部１０からＲＡＭ１３に一時的に記憶される表示画像データのサイズを変換（縮小、拡大）する。なお、ここで表示画像データのサイズとは、表示画像データに基づいて表示部２の表示画面に表示する表示画像の大きさ、例えば表示画像が長方形の場合は対角線の長さを示す。
【００４７】
また、第１画像処理部１５は、前記表示画像データに基づいて表示部２に表示する表示画像の位置の変換、例えば、縮小後の表示画像（縮小表示画像）の位置決定、縮小表示画像の移動操作における位置決定等を行う。
【００４８】
第２画像処理部１６は、前記操作用画像データに基づいて表示部２への操作用画像の表示を行う。また、第２画像処理部１６は、第１画像処理部１５によって所定の表示画像の縮小が行われた場合、又は斯かる縮小表示画像が移動された場合、各操作用画像を変換して斯かる縮小表示画像内の所定位置に表示する。
【００４９】
詳しくは、第１画像処理部１５によって所定の表示画像の縮小が行われた場合、第２画像処理部１６は、各操作用画像に対応する変換操作用画像（変換後の操作用画像）をＲＯＭ１２から読み出し、該表示画像の縮小率にて該変換操作用画像を縮小し、縮小表示画像内の所定位置に表示する。
【００５０】
また、第２画像処理部１６は、前記縮小表示画像の移動操作の際、該縮小表示画像の移動に応じて、各変換操作用画像の位置決定を行う。
【００５１】
情報表示部１７は変換操作用画像に対する付加情報を表示する。例えば、縮小表示画像内の所定位置に表示された変換操作用画像に対して利用者が所定の操作（例えば、タッチアンドスライド）をした場合、該変換操作用画像に対応する操作を説明する画像を表示部２に表示する。
【００５２】
詳しくは、利用者が所定の動作（指示）を行い、タッチパネル３が位置指定を受け付けた場合、情報表示部１７はＲＯＭ１２の記憶内容に基づき、該指示に対応する変換操作用画像に係る操作を説明する画像の表示用データを生成し、表示処理部１８へ渡す。
【００５３】
なお、これに限るものでなく、上述した、変換操作用画像に対応する操作を説明する画像の表示は、該変換操作用画像が所定の大きさ以下に縮小されている場合に行われるように構成しても良い。
【００５４】
表示処理部１８は、ＤＳＰ（Digital Signal Processor）のようなプロセッサにより構成され、表示部２への画像表示を制御する。例えば、表示処理部１８は画像加工部１４からの表示用データに基づく表示信号を表示部２へ渡す。表示部２は、受け付けた表示信号に基づく表示画像を表示部２に表示する。
【００５５】
図３は本発明の実施の形態１のデジタル複合機１００における、表示部２の表示画面２１に表示された表示画像を示す説明図である。図３Ａは、表示画像データに基づく表示画像を表示画面２１の全領域に表示した状態を示している。図３Ｂは、図３Ａに表示した表示画像を縮小して表示させた状態を示している。以下、説明の便宜上、表示画面２１の領域であって、縮小表示画像によって占められていない領域を画像非表示領域（図３Ｂにおいて、斜線にて表示）と言う。
【００５６】
前記画像非表示領域については、背景画像、その他別の画像を表示するようにしても良い。なお、図３では、表示画面２１内に表示画像のみを表示させている状態を示しているが、本願では、後述するように、表示画像と共に操作用画像（又は変換操作用画像）が表示される。
【００５７】
図４は本発明の実施の形態１のデジタル複合機１００における、表示部２の表示画面２１に対する操作を説明する説明図である。図４Ａは、表示画面２１の全領域に表示画像を表示し、かつ、表示画像に重畳して操作用画像を表示した状態を示している。図４Ａにおいて、「前」、「次」、「選択」、「拡大／縮小」、「移動」等の文字を示したアイコン画像が操作用画像であり、表示画面内の右側上方に表示されている。
【００５８】
「前」及び「次」は、ファイリングされている画像データの中、表示されている表示画像とは異なる表示画像を表示させる操作の際に用いられる操作用画像である。「選択」は、表示されている表示画像を操作対象として選択する操作の際に用いられる操作用画像である。「拡大／縮小」は、表示画像の表示サイズを拡大又は縮小させる操作の際に用いられる操作用画像である。「移動」は、表示画像の表示位置を変更させる操作の際に用いられる操作用画像である。すなわち、これらの操作用画像を介して、利用者から対応する操作の指示を受け付ける。
【００５９】
図４Ａに示す状態において、各操作用画像が表示されている表示画面２１上の位置を示す位置情報、及び各操作用画像を特定する特定情報は、ＲＯＭ１２に記録されている。図４Ａに示す状態から、利用者は、操作用画像の「前」又は「次」をタッチすることにより、表示する表示画像を切り替え、操作対象とする表示画像を表示画面２１に表示させる。そして、利用者は、操作対象として所望する表示画像を表示画面２１に表示させ、操作用画像の「選択」をタッチすることにより、操作対象とする表示画像が決定される。次に、利用者は、操作用画像の「拡大／縮小」をタッチし、既に表示中の表示画像の拡大／縮小を行う。
【００６０】
例えば、表示画像の縮小を指示する場合は、該縮小の後に該表示画像の対角点となるべき２箇所をタッチして指定する。図４Ａでは、利用者が対角点として指定した２箇所に、夫々Ｐ１及びＰ２を付して示している。この際、タッチパネル３は対角点として指定されたＰ１及びＰ２の表示画面２１上の座標を特定する信号を制御部１に送信する。
【００６１】
図４Ｂは、前記表示画像を縮小表示した状態を示している。利用者から前記指定を受け付けた場合、第１画像処理部１５は、Ｐ１及びＰ２が対角点となるように、当該表示画像を縮小した縮小表示画像を表示画面２１に表示する。なお、第２画像処理部１６は各操作用画像に対応する変換操作用画像に係るデータをＲＯＭ１２から読み出し、該表示画像の縮小率にて縮小した変換操作用画像を、前記縮小表示画像の図面視右側縁に沿って上方に表示する。
【００６２】
斯かる変換操作用画像は、対応する操作用画像より小さく、「前」、「次」、「選択」、「拡大／縮小」及び「移動」の文字に代わって、絵図が表示されているアイコン画像である。
【００６３】
図５は本発明の実施の形態１のデジタル複合機１００における、付加情報の表示を説明する説明図である。説明の便宜上、利用者が「移動」の操作用画像に対応する変換操作用画像（以下、「移動」変換操作用画像と言う。）を操作する場合を例として説明する。
【００６４】
まず、利用者が表示画面２１の「移動」変換操作用画像を指先にてタッチした状態から、縮小表示画像の外側に向けて、画像非表示の領域までスライドさせる動作、すなわち、タッチアンドスライドを行う（図５Ａ参照）。この際、タッチパネル３は斯かる変換操作用画像の付加情報を表示する指示として受け付ける。
【００６５】
この際、情報表示部１７はＲＯＭ１２の記憶内容に基づき、当該変換操作用画像に係る操作を説明する付加情報画像の表示用データを生成し、当該付加情報画像を表示画面２１に表示する。本例において、利用者は「移動」変換操作用画像をタッチアンドスライドしたので、該変換操作用画像に係る操作を説明する「移動」とのテキスト画像が表示される（図５Ｂ参照）。
【００６６】
なお、タッチアンドスライドに限るものでなく、例えば、２回タッチ、所定時間タッチ等により、前記付加情報画像が表示されるように構成しても良い。
【００６７】
図６は本発明の実施の形態１のデジタル複合機１００における、表示処理の例を示すフローチャートである。説明の便宜上、図４及び図５に基づいて説明する。デジタル複合機１００は、制御部１の制御により、表示部２の表示画面２１全領域に所定の表示画像を表示し、かつ、表示画像に重畳して複数の操作用画像を表示する（ステップＳ１０１）。ステップＳ１０１では、図４Ａに示した状態で表示画像及び操作用画像が表示される。
【００６８】
ここで、利用者は、例えば、表示画像を縮小させる操作を行う。ＣＰＵ１１は、タッチパネル３を介して表示画像を縮小する操作の指示を受け付ける（ステップＳ１０２）。ステップＳ１０２において、ＣＰＵ１１は、上述した方法によって、縮小表示画像の対角点とすべき２箇所（Ｐ１及びＰ２）の指定を受け付ける。
【００６９】
次いで、第２画像処理部１６は、受け付けたＰ１及びＰ２の座標に基づいて、表示画像の縮小後の操作用画像の表示位置を決定する（ステップＳ１０３）。第２画像処理部１６は、例えば、表示画像と操作用画像との相対的な位置関係が、縮小表示画像と変換操作用画像とにおいても維持されるよう、かつ、該縮小表示画像の右側縁に沿った位置に変換操作用画像が表示されるように決定する。
【００７０】
この後、第１画像処理部１５は、受け付けたＰ１及びＰ２に基づいて、表示画面２１の全領域に表示させている表示画像を縮小して表示し（ステップＳ１０４）、第２画像処理部１６は、縮小表示画像内であって、ステップＳ１０３にて決定された位置に、変換操作用画像を表示させる（ステップＳ１０５）（図４Ｂ参照）。なお、第１画像処理部１５による表示画像の縮小表示の処理、及び第２画像処理部１６による変換操作用画像表示の処理については既に説明しており、詳しい説明を省略する。
【００７１】
次いで利用者は、何れかの変換操作用画像を用いて、縮小表示画像に対する操作を行う。
【００７２】
ＣＰＵ１１はタッチパネル３を監視することにより、利用者から何れかの指示を受け付けたか否かを判定する（ステップＳ１０６）。すなわち、ＣＰＵ１１はタッチパネル３からの信号に基づいて、何れかの変換操作用画像が触れたか否かの判定を行う。
【００７３】
例えば、利用者が何れの変換操作用画像にも触れておらず、ＣＰＵ１１が利用者から何らの指示を受け付けていないと判定した場合（ステップＳ１０６：ＮＯ）、利用者から何れかの指示を受け付けるまで待機する。
【００７４】
一方、利用者が指先を何れかの変換操作用画像に触れた場合、ＣＰＵ１１は利用者から所定の指示を受け付けたと判定し（ステップＳ１０６：ＹＥＳ）、受け付けた指示がタッチアンドスライドに係るものであるか否かを判定する（ステップＳ１０７）。すなわち、ＣＰＵ１１はタッチパネル３からの信号に基づき、利用者が前記タッチアンドスライドの動作を行ったか否かを判定する。
【００７５】
利用者によってタッチのみが行われた場合、ＣＰＵ１１は受け付けた指示がタッチアンドスライドに係るものでないと判定し（ステップＳ１０７：ＮＯ）、利用者によってタッチされた位置の表示画面２１上の座標に対応する変換操作用画像を特定し、特定された変換操作用画像に対応する操作の実行を指示する（ステップＳ１０９）。
【００７６】
例えば、利用者が、「移動」変換操作用画像をタッチした場合、ＣＰＵ１１は、タッチパネル３からの信号に基づく表示画面２１上の座標から、「移動」変換操作用画像を特定し、該「移動」変換操作用画像に対応する操作である移動を画像加工部１４に指示する。ＣＰＵ１１の指示に応じて画像加工部１４は「移動」の操作を行う。
【００７７】
一方、ＣＰＵ１１は受け付けた指示がタッチアンドスライドに係るものであると判定した場合（ステップＳ１０７：ＹＥＳ）、利用者によってタッチアンドスライドされた位置の表示画面２１上の座標に対応する変換操作用画像を特定し、特定された変換操作用画像に対応する操作を説明する付加情報画像の表示を情報表示部１７に指示する。情報表示部１７はＣＰＵ１１の指示に応じて、特定された変換操作用画像に係る付加情報画像を表示部２（表示画面２１）に表示する（ステップＳ１０８）。
【００７８】
例えば、利用者が、図５Ａに示すように「移動」変換操作用画像をタッチアンドスライドした場合、ＣＰＵ１１は、タッチパネル３からの信号に基づく表示画面２１上の座標から、「移動」変換操作用画像を特定し、「移動」変換操作用画像に係る付加情報画像の表示を情報表示部１７に指示する。情報表示部１７はＣＰＵ１１の指示応じて、「移動」変換操作用画像に係る付加情報画像を表示部２（表示画面２１）に表示する（図５Ｂ参照）。この後、処理は再びステップＳ１０６に戻る。
【００７９】
このように、表示画像を縮小することにより、表示画面に表示された画像を他人から視認され難くしながら、縮小表示画像内に変換操作用画像を表示させることにより、操作性を向上させることが出来る。
【００８０】
また、本発明は以上の記載に限るものでない。例えば、図５Ｂに示したように、所定の変換操作用画像に係る付加情報画像が表示される場合において、該変換操作用画像が斯かる操作のためのアイコンを兼ねるように構成しても良い。
【００８１】
また、縮小表示された変換操作用画像が小さく、利用者によるタッチの際、複数の変換操作用画像が同時にタッチされた場合は、複数の変換操作用画像に係る付加情報画像が共に表示されるように構成しても良い。なお、この際、上述したように、各付加情報画像がアイコンを兼ねるように構成しても良い。
【００８２】
（実施の形態２）
図７は本発明の実施の形態２のデジタル複合機１００の要部構成を示す機能ブロック図である。実施の形態２のデジタル複合機１００は、動作を行うためのコンピュータプログラムが、Ｉ／Ｆ９を介してＣＤ−ＲＯＭ等の可搬型記録媒体Ｄで提供することも可能であるように構成されている。さらに、実施の形態２のデジタル複合機１００は、前記コンピュータプログラムを、図示しない外部装置から通信部８を介してダウンロードすることも可能であるように構成されている。以下に、その内容を説明する。
【００８３】
実施の形態２のデジタル複合機１００は外装（又は内装）の記録媒体読み取り装置（図示せず）を備えており、該記録媒体読み取り装置に、表示画像を縮小して表示させ、縮小後の表示画像内に、操作用画像を変換して表示させるプログラム等が記録された可搬型記録媒体Ｄを挿入して、例えば、ＣＰＵ１１がＲＯＭ１２にこのプログラムをインストールする。かかるプログラムはＲＡＭ１３にロードして実行される。これにより、実施の形態１の本発明のデジタル複合機１００として機能する。
【００８４】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００８５】
通信部８を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００８６】
実施の形態１と同様の部分については、同一の符号を付して詳細な説明を省略する。
【符号の説明】
【００８７】
１  制御部
２  表示部
３  タッチパネル
１１  ＣＰＵ
１５  第１画像処理部
１６  第２画像処理部
１７  情報表示部
１００  デジタル複合機
Ｄ  記録媒体
【図１】
0005693319.tif 000002
【図２】
0005693319.tif 000003
【図３】
0005693319.tif 000004
【図４】
0005693319.tif 000005
【図５】
0005693319.tif 000006
【図６】
0005693319.tif 000007
【図７】
0005693319.tif 000008